(57)【要約】      （修正有）【課題】スペーサが形成されている画素と、スペーサが形成されていない画素との間の開口率の差を低減し、ムラなどの表示品質の低下を防止しながら、一定のセル間隔を維持できる液晶表示装置を提供する。【解決手段】互いに向き合う第１基板及び第２基板のうちのいずれか１つに配置され、複数の画素領域ＰＸ１,ＰＸ２に形成されており、一定の平面形態を有する複数の拡張部ＬＢ１，ＬＢ２を有する遮光部材ＬＢと、第１基板又は第２基板上に配置されており、第１基板及び第２基板のうちの、対向する基板に形成されている複数の薄膜の上部表面と接触する複数の第１スペーサとを含み、遮光部材の前記複数の拡張部は、複数の第１拡張部ＬＢ１と複数の第２拡張部ＬＢ２とを含み、第１拡張部ＬＢ１は、第１スペーサと重なり、第２拡張部ＬＢ１は、第１スペーサと重ならない。【選択図】図２
2014002385.tif 000002
【特許請求の範囲】
【請求項１】
互いに向き合う第１基板及び第２基板と、
前記第１基板及び前記第２基板のうちのいずれか１つに配置され、複数の画素領域に形成されており、一定の平面形態を有する複数の拡張部を有する遮光部材と、
前記第１基板又は前記第２基板上に配置されており、前記第１基板及び前記第２基板のうちの、対向する基板に形成されている複数の薄膜の上部表面と接触する複数の第１スペーサとを含み、
前記遮光部材の前記複数の拡張部は、複数の第１拡張部と複数の第２拡張部とを含み、
前記第１拡張部は、前記第１スペーサと重なり、前記第２拡張部は、前記第１スペーサと重ならないことを特徴とする液晶表示装置。
【請求項２】
前記第１拡張部の幅は、前記第２拡張部の幅と実質的に同一であることを特徴とする請求項１記載の液晶表示装置。
【請求項３】
前記遮光部材は、ブラックマトリックスであることを特徴とする請求項１記載の液晶表示装置。
【請求項４】
前記遮光部材の前記複数の拡張部の周縁は、少なくとも１つの曲線又は少なくとも１つの直線を含む平面形態を有することを特徴とする請求項２記載の液晶表示装置。
【請求項５】
前記遮光部材の前記複数の拡張部の周縁に囲まれている部分は、円形、楕円形、又は多角形の平面形態を有することを特徴とする請求項４記載の液晶表示装置。
【請求項６】
前記遮光部材の前記拡張部は、隣接した複数の画素領域に配置され、前記隣接した複数の画素領域それぞれに配置されている前記拡張部の面積は互いに異なることを特徴とする請求項５記載の液晶表示装置。
【請求項７】
前記複数の拡張部の周縁に囲まれている部分の平面形態は、前記第１スペーサの平面形態と実質的に同一であることを特徴とする請求項６記載の液晶表示装置。
【請求項８】
前記第１拡張部と前記第２拡張部は、前記第１基板上に配置されているゲート線と同一層からなるか、前記第１基板上に配置されているデータ線と同一層からなることを特徴とする請求項２記載の液晶表示装置。
【請求項９】
前記第１基板又は前記第２基板上に配置されており、前記第１基板及び前記第２基板のうちの、対向する基板に形成されている複数の薄膜の上部表面と一定の間隔をなすように配置されている複数の第２スペーサをさらに含み、
前記複数の第２拡張部の少なくとも一部は、前記複数の第２スペーサと重なることを特徴とする請求項１記載の液晶表示装置。
【請求項１０】
前記第１スペーサと前記第２スペーサの高さは、互いに同一であるか、又は互いに異なり、
前記第１スペーサと前記第２スペーサの幅は、互いに同一であるか、又は互いに異なることを特徴とする請求項９記載の液晶表示装置。
【発明の詳細な説明】
【技術分野】
【０００１】
本発明は、液晶表示装置に関するものである。
【背景技術】
【０００２】
液晶表示装置は、現在最も幅広く用いられている平板表示装置の一つであって、電界生成電極が形成されている２枚の表示板とその間に入っている液晶層とからなり、電極に電圧を印加して液晶層の液晶分子を方向変化させることにより、液晶層を通過する光の透過率を調整する表示装置である。
【０００３】
このような液晶表示装置の上部パネル及び下部パネルは、２つのパネルの間に配置されているスペーサによって支持され、セル間隔を維持する。
【０００４】
このようなスペーサによって光漏れなどが発生するのを防止するために、遮光部材を拡張してスペーサと重なるようにする。
【０００５】
しかし、スペーサが配置される画素にのみ遮光部材を拡張する場合、スペーサが形成されている画素と、スペーサが形成されていない画素との間の開口率の差により、ムラなどの表示品質の低下が発生してしまう。
【発明の概要】
【発明が解決しようとする課題】
【０００６】
本発明は、上記の問題を解決するためのものであって、スペーサが形成されている画素と、スペーサが形成されていない画素との間の開口率の差を低減し、ムラなどの表示品質の低下を防止しながら、一定のセル間隔を維持できる液晶表示装置を提供するためのものである。
【課題を解決するための手段】
【０００７】
本発明の実施形態にかかる液晶表示装置は、互いに向き合う第１基板及び第２基板と、前記第１基板及び前記第２基板のうちのいずれか１つに配置され、複数の画素領域に形成されており、一定の平面形態を有する複数の拡張部を有する遮光部材と、前記第１基板又は前記第２基板上に配置されており、前記第１基板及び前記第２基板のうちの、対向する基板に形成されている複数の薄膜の上部表面と接触する複数の第１スペーサとを含み、前記遮光部材の前記複数の拡張部は、複数の第１拡張部と複数の第２拡張部とを含み、前記第１拡張部は、前記第１スペーサと重なり、前記第２拡張部は、前記第１スペーサと重ならない。
【０００８】
前記第１拡張部の幅は、前記第２拡張部の幅と実質的に同一であり得る。
【０００９】
前記第１拡張部の幅は、前記第２拡張部の幅と異なり得る。
【００１０】
前記遮光部材は、ブラックマトリックスであり得る。
【００１１】
前記第１拡張部と前記第２拡張部は、前記第１基板上に配置されているゲート線と同一層からなるか、前記第１基板上に配置されているデータ線と同一層からなり得る。
【００１２】
前記液晶表示装置は、前記第１基板又は前記第２基板上に配置されており、前記第１基板及び前記第２基板のうちの、対向する基板に形成されている複数の薄膜の上部表面と一定の間隔をなすように配置されている複数の第２スペーサをさらに含み、前記複数の第２拡張部の少なくとも一部は、前記複数の第２スペーサと重なり得る。
【００１３】
前記第１スペーサと前記第２スペーサの高さは互いに異なり得る。
前記第１スペーサと前記第２スペーサの幅は互いに異なり得る。
【００１４】
前記第１スペーサと重なる第１薄膜層と、前記第２スペーサと重なる第２薄膜層とをさらに含み、前記第１薄膜層の高さは、前記第２薄膜層の高さと異なり得る。
【００１５】
前記第１スペーサと前記第２スペーサの高さは互いに実質的に同一であり得る。
【００１６】
前記遮光部材の前記複数の拡張部の周縁は、少なくとも１つの曲線又は少なくとも１つの直線を含む平面形態を有することができる。
【００１７】
前記遮光部材の前記複数の拡張部の周縁に囲まれている部分は、円形、楕円形、又は多角形の平面形態を有することができる。
【００１８】
前記遮光部材の前記拡張部は、隣接した複数の画素領域に配置され、前記隣接した複数の画素領域それぞれに配置されている前記拡張部の面積は互いに異なり得る。
【発明の効果】
【００１９】
本発明の実施形態にかかる液晶表示装置は、複数の画素領域に配置されている複数の遮光部材の拡張部を含み、複数の遮光部材の拡張部のうち、一部はスペーサと重なり、残りの一部はスペーサと重ならないことにより、スペーサが形成されている画素と、スペーサが形成されていない画素との間の開口率の差を低減し、ムラなどの表示品質の低下を防止しながら、一定のセル間隔を維持できる。
【図面の簡単な説明】
【００２０】
【図１】本発明の一実施形態にかかる液晶表示装置の配置図である。
【図２】本発明の一実施形態にかかる液晶表示装置の遮光部材の拡張部の配置を示す平面図である。
【図３】本発明の一実施形態にかかる液晶表示装置の遮光部材の拡張部の配置を示す平面図である。
【図４】本発明の一実施形態にかかる液晶表示装置の遮光部材の拡張部の配置を示す平面図である。
【図５】本発明の一実施形態にかかる液晶表示装置の遮光部材の拡張部の配置を示す平面図である。
【図６】本発明の他の実施形態にかかる液晶表示装置の配置図である。
【図７】本発明の他の実施形態にかかる液晶表示装置の遮光部材の拡張部の配置を示す平面図である。
【図８】本発明の他の実施形態にかかる液晶表示装置の遮光部材の拡張部の配置を示す平面図である。
【図９】本発明の他の実施形態にかかる液晶表示装置の遮光部材の拡張部の配置を示す平面図である。
【図１０】本発明の他の実施形態にかかる液晶表示装置の遮光部材の拡張部の配置を示す平面図である。
【図１１】本発明のさらに他の実施形態にかかる液晶表示装置の配置図である。
【図１２】本発明の一実施形態にかかる液晶表示装置の断面図である。
【図１３】本発明の他の実施形態にかかる液晶表示装置の断面図である。
【図１４】本発明のさらに他の実施形態にかかる液晶表示装置の断面図である。
【図１５】本発明のさらに他の実施形態にかかる液晶表示装置の断面図である。
【図１６】本発明のさらに他の実施形態にかかる液晶表示装置の断面図である。
【図１７】本発明のさらに他の実施形態にかかる液晶表示装置の断面図である。
【図１８】本発明のさらに他の実施形態にかかる液晶表示装置の断面図である。
【図１９】本発明のさらに他の実施形態にかかる液晶表示装置の断面図である。
【図２０】本発明のさらに他の実施形態にかかる液晶表示装置の断面図である。
【図２１】本発明のさらに他の実施形態にかかる液晶表示装置の断面図である。
【図２２】本発明のさらに他の実施形態にかかる液晶表示装置の断面図である。
【図２３】本発明のさらに他の実施形態にかかる液晶表示装置の断面図である。
【発明を実施するための形態】
【００２１】
以下、添付した図面を参照して、本発明の実施形態について本発明の属する技術分野における通常の知識を有する者が容易に実施できるように詳細に説明する。しかし、本発明は、種々の異なる形態で実現可能であり、ここで説明する実施形態に限定されない。
【００２２】
図面において、様々な層及び領域を明確に表現するために厚さを拡大して示した。明細書全体にわたって類似の部分については同一の図面符号を付した。層、膜、領域、板などの部分が他の部分の「上」にあるとする時、これは、他の部分の「直上」にある場合のみならず、その中間にさらに他の部分がある場合も含む。逆に、ある部分が他の部分の「直上」にあるとする時には、中間に別の部分がないことを意味する。
【００２３】
以下、本発明の実施形態にかかる液晶表示装置について、図面を参照して詳細に説明する。
まず、図１を参照して、本発明の一実施形態にかかる液晶表示装置について説明する。図１は、本発明の一実施形態にかかる液晶表示装置の配置図である。
【００２４】
図１を参照すれば、本発明の一実施形態にかかる液晶表示装置は、複数の開口領域を有する複数の画素領域ＰＸを含む。複数の画素領域ＰＸは、不透明な遮光部材ＬＢで定義される。
【００２５】
遮光部材ＬＢは、複数の画素領域ＰＸの一部分に配置されている拡張部ＬＢ１、ＬＢ２を含む。遮光部材の拡張部ＬＢ１、ＬＢ２は、第１スペーサＳ１と重なる第１拡張部ＬＢ１と、第１スペーサＳ１と重ならない第２拡張部ＬＢ２とを含む。
【００２６】
第１拡張部ＬＢ１の平面形態は、第２拡張部ＬＢ２の平面形態と類似する。
第１拡張部ＬＢ１及び第２拡張部ＬＢ２の周縁は、少なくとも１つの曲線を含む平面形態を有し得る。
【００２７】
例えば、図１に示す実施形態において、点線で表した部分を合わせて参照すれば、遮光部材ＬＢのうち、第１拡張部ＬＢ１及び第２拡張部ＬＢ２の周縁ＥＧに囲まれている遮光部材ＬＢの一部分は、円形の平面形態を有するが、本発明の他の実施形態にかかる液晶表示装置の遮光部材ＬＢの第１拡張部ＬＢ１及び第２拡張部ＬＢ２の周縁に囲まれている遮光部材ＬＢの一部分は、楕円形態であり得る。遮光部材ＬＢの第１拡張部ＬＢ１及び第２拡張部ＬＢ２の周縁がなす平面形態は、第１スペーサＳ１の平面形態に応じて変化可能である。
【００２８】
以下、図２乃至図５を参照して、本発明の一実施形態にかかる液晶表示装置の遮光部材の拡張部の配置について説明する。図２乃至図５は、本発明の一実施形態にかかる液晶表示装置の遮光部材の拡張部の配置を示す平面図である。
【００２９】
まず、図２を参照すれば、本実施形態にかかる液晶表示装置の遮光部材ＬＢの拡張部ＬＢ１／ＬＢ２は、互いに隣接した４つの画素ＰＸ１、ＰＸ２、ＰＸ３、ＰＸ４のうち、第１画素ＰＸ１及び第２画素ＰＸ２の領域に配置され、その周縁は、曲線の平面形態を有する。
【００３０】
また、第１画素ＰＸ１の領域内に配置される第１周縁ＥＧ１と、第２画素ＰＸ２の領域内に配置される第２周縁ＥＧ２との形態及び長さは互いに異なる。具体的には、第１画素ＰＸ１の領域内に配置される遮光部材ＬＢの拡張部ＬＢ１／ＬＢ２の面積と、第２画素ＰＸ２の領域内に配置される遮光部材ＬＢの拡張部ＬＢ１／ＬＢ２の面積とは互いに異なる。
【００３１】
しかし、本発明の他の実施形態にかかる液晶表示装置の場合、遮光部材ＬＢの拡張部ＬＢ１／ＬＢ２は、互いに隣接した４つの画素ＰＸ１、ＰＸ２、ＰＸ３、ＰＸ４のうち、第１画素ＰＸ１及び第２画素ＰＸ２の領域に跨って配置され、第１画素ＰＸ１の領域内に配置される第１周縁ＥＧ１と、第２画素ＰＸ２の領域内に配置される第２周縁ＥＧ２との形態及び長さは互いに対称であり得る。その場合、第１画素ＰＸ１の領域内に配置される遮光部材ＬＢの拡張部ＬＢ１／ＬＢ２の面積と、第２画素ＰＸ２の領域内に配置される遮光部材ＬＢの拡張部ＬＢ１／ＬＢ２の面積とは実質的に等しい。
【００３２】
次に、図３及び図４を参照すれば、本実施形態にかかる液晶表示装置の遮光部材ＬＢの拡張部ＬＢ１／ＬＢ２は、互いに隣接した４つの画素ＰＸ１、ＰＸ２、ＰＸ３、ＰＸ４領域に跨って配置され、その周縁は、曲線の平面形態を有する。
【００３３】
また、第１画素ＰＸ１の領域内に配置される第１周縁ＥＧ１と、第２画素ＰＸ２の領域内に配置される第２周縁ＥＧ２と、第３画素ＰＸ３の領域内に配置される第３周縁ＥＧ３と、第４画素ＰＸ４の領域内に配置される第４周縁ＥＧ４とは、それぞれ互いに異なる形態及び長さを有する。具体的には、第１画素ＰＸ１の領域内に配置される遮光部材ＬＢの拡張部ＬＢ１／ＬＢ２の面積と、第２画素ＰＸ２の領域内に配置される遮光部材ＬＢの拡張部ＬＢ１／ＬＢ２の面積と、第３画素ＰＸ３の領域内に配置される遮光部材ＬＢの拡張部ＬＢ１／ＬＢ２の面積と、第４画素ＰＸ４の領域内に配置される遮光部材ＬＢの拡張部ＬＢ１／ＬＢ２の面積とは互いに異なる。
【００３４】
しかし、本発明の他の実施形態にかかる液晶表示装置の場合、遮光部材ＬＢの拡張部ＬＢ１／ＬＢ２は、互いに隣接した４つの画素ＰＸ１、ＰＸ２、ＰＸ３、ＰＸ４領域に跨って配置され、第１画素ＰＸ１の領域内に配置される第１周縁ＥＧ１と、第２画素ＰＸ２の領域内に配置される第２周縁ＥＧ２と、第３画素ＰＸ３の領域内に配置される第３周縁ＥＧ３と、第４画素ＰＸ４の領域内に配置される第４周縁ＥＧ４との形態及び長さは互いに対称であり得る。その場合、第１画素ＰＸ１の領域内に配置される遮光部材ＬＢの拡張部ＬＢ１／ＬＢ２の面積と、第２画素ＰＸ２の領域内に配置される遮光部材ＬＢの拡張部ＬＢ１／ＬＢ２の面積と、第３画素ＰＸ３の領域内に配置される遮光部材ＬＢの拡張部ＬＢ１／ＬＢ２の面積と、第４画素ＰＸ４の領域内に配置される遮光部材ＬＢの拡張部ＬＢ１／ＬＢ２の面積とは実質的に等しい。
【００３５】
次に、図５を参照すれば、本実施形態にかかる液晶表示装置の遮光部材ＬＢの拡張部ＬＢ１／ＬＢ２は、互いに隣接した４つの画素ＰＸ１、ＰＸ２、ＰＸ３、ＰＸ４のうち、第３画素ＰＸ３及び第４画素ＰＸ４の領域に配置され、その周縁は、曲線の平面形態を有する。
【００３６】
また、第３画素ＰＸ３の領域内に配置される第３周縁ＥＧ３と、第４画素ＰＸ４の領域内に配置される第４周縁ＥＧ４との形態及び長さは互いに異なる。具体的には、第３画素ＰＸ３の領域内に配置される遮光部材ＬＢの拡張部ＬＢ１／ＬＢ２の面積と、第４画素ＰＸ４の領域内に配置される遮光部材ＬＢの拡張部ＬＢ１／ＬＢ２の面積とは互いに異なる。
【００３７】
しかし、本発明の他の実施形態にかかる液晶表示装置の場合、遮光部材ＬＢの拡張部ＬＢ１／ＬＢ２は、互いに隣接した４つの画素ＰＸ１、ＰＸ２、ＰＸ３、ＰＸ４のうち、第３画素ＰＸ３及び第４画素ＰＸ４の領域に配置され、第３画素ＰＸ３の領域内に配置される第３周縁ＥＧ３と、第４画素ＰＸ４の領域内に配置される第４周縁ＥＧ４との形態及び長さは互いに対称であり得る。その場合、第３画素ＰＸ３の領域内に配置される遮光部材ＬＢの拡張部ＬＢ１／ＬＢ２の面積と、第４画素ＰＸ４の領域内に配置される遮光部材ＬＢの拡張部ＬＢ１／ＬＢ２の面積とは実質的に等しい。
【００３８】
図示していないが、本発明の他の実施形態にかかる液晶表示装置の場合、遮光部材ＬＢの拡張部ＬＢ１／ＬＢ２は、互いに隣接した４つの画素ＰＸ１、ＰＸ２、ＰＸ３、ＰＸ４のうち、第１画素ＰＸ１及び第３画素ＰＸ３にのみ配置されてもよく、又は第２画素ＰＸ２及び第４画素ＰＸ４にのみ配置されてもよい。
【００３９】
以下、図６を参照して、本発明の他の実施形態にかかる液晶表示装置について説明する。図６は、本発明の他の実施形態にかかる液晶表示装置の配置図である。
【００４０】
図６を参照すれば、本実施形態にかかる液晶表示装置は、図１に示す液晶表示装置と類似する。
しかし、本実施形態にかかる液晶表示装置は、図１に示す液晶表示装置とは異なり、第１拡張部ＬＢ１及び第２拡張部ＬＢ２の周縁は、少なくとも１つの直線を含む平面形態を有する。
【００４１】
例えば、図６に示す実施形態において、点線で表した部分を合わせて参照すれば、遮光部材ＬＢの第１拡張部ＬＢ１及び第２拡張部ＬＢ２の周縁ＥＧに囲まれている遮光部材ＬＢの一部分の平面形態は菱形であり、第１拡張部ＬＢ１と重なる第１スペーサＳ１の平面形態も菱形であり得る。
【００４２】
このように、本発明の実施形態にかかる液晶表示装置の遮光部材ＬＢの第１拡張部ＬＢ１及び第２拡張部ＬＢ２と、第１スペーサＳ１の平面形態とは互いに実質的に同一であり得、その周縁に囲まれている部分は、少なくとも１つの曲線又は少なくとも１つの直線を含む平面形態を有し得る。例えば、円形や、楕円形のほか、菱形の形態であり得る。
【００４３】
以下、図７乃至図１０を参照して、本発明の他の実施形態にかかる液晶表示装置の遮光部材の拡張部の配置について説明する。図７乃至図１０は、本発明の他の実施形態にかかる液晶表示装置の遮光部材の拡張部の配置を示す平面図である。
【００４４】
まず、図７を参照すれば、本実施形態にかかる液晶表示装置の遮光部材ＬＢの拡張部ＬＢ１／ＬＢ２は、互いに隣接した４つの画素ＰＸ１、ＰＸ２、ＰＸ３、ＰＸ４のうち、第１画素ＰＸ１及び第２画素ＰＸ２の領域に配置され、その周縁は、少なくとも１つの直線を含む平面形態を有する。
【００４５】
また、第１画素ＰＸ１の領域内に配置される第１周縁ＥＧ１と、第２画素ＰＸ２の領域内に配置される第２周縁ＥＧ２との形態及び長さは互いに異なる。具体的には、第１画素ＰＸ１の領域内に配置される遮光部材ＬＢの拡張部ＬＢ１／ＬＢ２の面積と、第２画素ＰＸ２の領域内に配置される遮光部材ＬＢの拡張部ＬＢ１／ＬＢ２の面積とは互いに異なる。
【００４６】
しかし、本発明の他の実施形態にかかる液晶表示装置の場合、遮光部材ＬＢの拡張部ＬＢ１／ＬＢ２は、互いに隣接した４つの画素ＰＸ１、ＰＸ２、ＰＸ３、ＰＸ４のうち、第１画素ＰＸ１及び第２画素ＰＸ２の領域に配置され、第１画素ＰＸ１の領域内に配置される第１周縁ＥＧ１と、第２画素ＰＸ２の領域内に配置される第２周縁ＥＧ２との形態及び長さは互いに対称であり得る。その場合、第１画素ＰＸ１の領域内に配置される遮光部材ＬＢの拡張部ＬＢ１／ＬＢ２の面積と、第２画素ＰＸ２の領域内に配置される遮光部材ＬＢの拡張部ＬＢ１／ＬＢ２の面積とは実質的に等しい。
【００４７】
次に、図８を参照すれば、本実施形態にかかる液晶表示装置の遮光部材ＬＢの拡張部ＬＢ１／ＬＢ２は、互いに隣接した４つの画素ＰＸ１、ＰＸ２、ＰＸ３、ＰＸ４のうち、第２画素ＰＸ２及び第４画素ＰＸ４の領域に配置され、その周縁は、少なくとも１つの直線を含む平面形態を有する。
【００４８】
また、第２画素ＰＸ２の領域内に配置される第２周縁ＥＧ２と、第４画素ＰＸ４の領域内に配置される第４周縁ＥＧ４との形態及び長さは互いに異なり得る。具体的には、第２画素ＰＸ２の領域内に配置される遮光部材ＬＢの拡張部ＬＢ１／ＬＢ２の面積と、第４画素ＰＸ４の領域内に配置される遮光部材ＬＢの拡張部ＬＢ１／ＬＢ２の面積とは互いに異なり得る。
【００４９】
しかし、図８に示したように、本発明の他の実施形態にかかる液晶表示装置の場合、遮光部材ＬＢの拡張部ＬＢ１／ＬＢ２は、互いに隣接した４つの画素ＰＸ１、ＰＸ２、ＰＸ３、ＰＸ４のうち、第２画素ＰＸ２及び第４画素ＰＸ４の領域に配置され、第２画素ＰＸ２の領域内に配置される第２周縁ＥＧ２と、第４画素ＰＸ４の領域内に配置される第４周縁ＥＧ４との形態及び長さは互いに対称である。その場合、第２画素ＰＸ２の領域内に配置される遮光部材ＬＢの拡張部ＬＢ１／ＬＢ２の面積と、第４画素ＰＸ４の領域内に配置される遮光部材ＬＢの拡張部ＬＢ１／ＬＢ２の面積とは実質的に等しい。
【００５０】
次に、図９を参照すれば、本実施形態にかかる液晶表示装置の遮光部材ＬＢの拡張部ＬＢ１／ＬＢ２は、互いに隣接した４つの画素ＰＸ１、ＰＸ２、ＰＸ３、ＰＸ４のうち、第１画素ＰＸ１及び第３画素ＰＸ３の領域に配置され、その周縁は、少なくとも１つの直線を含む平面形態を有する。
【００５１】
また、第１画素ＰＸ１の領域内に配置される第１周縁ＥＧ１と、第３画素ＰＸ３の領域内に配置される第３周縁ＥＧ３との形態及び長さは互いに異なり得る。具体的には、第１画素ＰＸ１の領域内に配置される遮光部材ＬＢの拡張部ＬＢ１／ＬＢ２の面積と、第３画素ＰＸ３の領域内に配置される遮光部材ＬＢの拡張部ＬＢ１／ＬＢ２の面積とは互いに異なり得る。
【００５２】
しかし、図９に示したように、本発明の他の実施形態にかかる液晶表示装置の場合、遮光部材ＬＢの拡張部ＬＢ１／ＬＢ２は、互いに隣接した４つの画素ＰＸ１、ＰＸ２、ＰＸ３、ＰＸ４のうち、第１画素ＰＸ１及び第３画素ＰＸ３の領域に配置され、第１画素ＰＸ１の領域内に配置される第１周縁ＥＧ１と、第３画素ＰＸ３の領域内に配置される第３周縁ＥＧ３との形態及び長さは互いに対称である。その場合、第１画素ＰＸ１の領域内に配置される遮光部材ＬＢの拡張部ＬＢ１／ＬＢ２の面積と、第３画素ＰＸ３の領域内に配置される遮光部材ＬＢの拡張部ＬＢ１／ＬＢ２の面積とは実質的に等しい。
【００５３】
次に、図１０を参照すれば、本実施形態にかかる液晶表示装置の遮光部材ＬＢの拡張部ＬＢ１／ＬＢ２は、互いに隣接した４つの画素ＰＸ１、ＰＸ２、ＰＸ３、ＰＸ４のうち、第３画素ＰＸ３及び第４画素ＰＸ４の領域に配置され、その周縁は、少なくとも１つの直線を含む平面形態を有する。
【００５４】
また、第３画素ＰＸ３の領域内に配置される第３周縁ＥＧ３と、第４画素ＰＸ４の領域内に配置される第４周縁ＥＧ４との形態及び長さは互いに異なり得る。具体的には、第３画素ＰＸ３の領域内に配置される遮光部材ＬＢの拡張部ＬＢ１／ＬＢ２の面積と、第４画素ＰＸ４の領域内に配置される遮光部材ＬＢの拡張部ＬＢ１／ＬＢ２の面積とは互いに異なり得る。
【００５５】
しかし、図１０に示したように、本発明の他の実施形態にかかる液晶表示装置の場合、遮光部材ＬＢの拡張部ＬＢ１／ＬＢ２は、互いに隣接した４つの画素ＰＸ１、ＰＸ２、ＰＸ３、ＰＸ４のうち、第３画素ＰＸ３及び第４画素ＰＸ４の領域に配置され、第３画素ＰＸ３の領域内に配置される第３周縁ＥＧ３と、第４画素ＰＸ４の領域内に配置される第４周縁ＥＧ４との形態及び長さは互いに対称である。その場合、第３画素ＰＸ３の領域内に配置される遮光部材ＬＢの拡張部ＬＢ１／ＬＢ２の面積と、第４画素ＰＸ４の領域内に配置される遮光部材ＬＢの拡張部ＬＢ１／ＬＢ２の面積とは実質的に等しい。
【００５６】
図示していないが、本発明の他の実施形態にかかる液晶表示装置の場合、遮光部材ＬＢの拡張部ＬＢ１／ＬＢ２は、互いに隣接した４つの画素ＰＸ１、ＰＸ２、ＰＸ３、ＰＸ４のうち、第１画素ＰＸ１及び第３画素ＰＸ３にのみ配置されてもよく、又は第２画素ＰＸ２及び第４画素ＰＸ４にのみ配置されてもよい。
【００５７】
以下、図１１を参照して、本発明のさらに他の実施形態にかかる液晶表示装置について説明する。図１１は、本発明のさらに他の実施形態にかかる液晶表示装置の配置図である。
図１１を参照すれば、本実施形態にかかる液晶表示装置は、図１及び図６に示す液晶表示装置と類似する。
【００５８】
しかし、本実施形態にかかる液晶表示装置は、図１に示す液晶表示装置とは異なり、第１拡張部ＬＢ１及び第２拡張部ＬＢ２の周縁は、少なくとも１つの直線を含む平面形態を有し得る。例えば、図１１に示す実施形態において、点線で表した部分を合わせて参照すれば、遮光部材ＬＢのうち、第１拡張部ＬＢ１及び第２拡張部ＬＢ２の周縁ＥＧに囲まれている部分の平面形態は、六角形形態であり、第１拡張部ＬＢ１と重なる第１スペーサＳ１の平面形態も、六角形であり得る。しかし、第１拡張部ＬＢ１及び第２拡張部ＬＢ２の周縁に囲まれている部分と、第１スペーサＳ１の平面形態とは、異なる形態の多角形であり得る。
【００５９】
このように、本発明の実施形態にかかる液晶表示装置の遮光部材ＬＢの第１拡張部ＬＢ１及び第２拡張部ＬＢ２の周縁がなす平面形態と、第１スペーサＳ１の平面形態とは互いに実質的に同一であり得、円形や、楕円形、菱形、又は六角形の形態であり得る。つまり、本発明の実施形態にかかる液晶表示装置の遮光部材ＬＢの第１拡張部ＬＢ１及び第２拡張部ＬＢ２の周縁に囲まれている部分と、第１スペーサＳ１の周縁とは、少なくとも１つの曲線又は少なくとも１つの直線を含む平面形態、例えば、円形や、楕円形、又は菱形又は六角形などの多角形の平面形態を有し得る。
【００６０】
以下、図１乃至図１１と共に図１２を参照して、本発明の一実施形態にかかる液晶表示装置について説明する。図１２は、本発明の一実施形態にかかる液晶表示装置の断面図である。
【００６１】
本実施形態にかかる液晶表示装置は、互いに向き合う第１基板１１０及び第２基板２１０を含む。本実施形態にかかる液晶表示装置は、第１領域Ａ１に配置されている遮光部材ＬＢの第１拡張部ＬＢ１と、第２領域Ａ２に配置されている遮光部材ＬＢの第２拡張部ＬＢ２と、第３領域Ａ３に配置されている遮光部材ＬＢとを含む。
【００６２】
遮光部材ＬＢ、そして、遮光部材ＬＢの第１拡張部ＬＢ１及び第２拡張部ＬＢ２は、第２基板２１０上に配置されている。第２基板２１０上に配置されている遮光部材ＬＢの第１拡張部ＬＢ１及び第２拡張部ＬＢ２は、ブラックマトリックス（ｂｌａｃｋ  ｍａｔｒｉｘ）の拡張部であり得る。
【００６３】
遮光部材ＬＢの第１拡張部ＬＢ１は、第１スペーサＳ１と重なり、遮光部材ＬＢの第２拡張部ＬＢ２は、第１スペーサＳ１と重ならない。
【００６４】
図示のように、遮光部材ＬＢの第１拡張部ＬＢ１の幅Ｗ１及び第２拡張部ＬＢ２の幅Ｗ２は、遮光部材ＬＢの幅Ｗ３より広い。また、遮光部材ＬＢの第１拡張部ＬＢ１の幅Ｗ１及び第２拡張部ＬＢ２の幅Ｗ２は実質的に同一である。
【００６５】
本発明の実施形態にかかる液晶表示装置は、複数の画素ＰＸ領域に配置されている、第１拡張部ＬＢ１と第２拡張部ＬＢ２とを含む遮光部材ＬＢを有し、遮光部材ＬＢの第１拡張部ＬＢ１は、第１スペーサＳ１と重なり、遮光部材ＬＢの第２拡張部ＬＢ２は、第１スペーサＳ１と重ならない。
【００６６】
これにより、第１スペーサＳ１によって発生し得る光漏れなどを遮光部材ＬＢの第１拡張部ＬＢ１で遮ると同時に、第１スペーサＳ１が配置されている領域Ａ１を含む画素ＰＸと、第１スペーサＳ１が配置されていない領域Ａ２を含む画素ＰＸとの間の開口率の差を低減し、ムラなどの表示品質の低下を防止できる。
【００６７】
図示の実施形態にかかる液晶表示装置において、第１スペーサＳ１は、第２基板２１０上に配置されているが、本発明の他の実施形態にかかる液晶表示装置において、第１スペーサＳ１は、第１基板１１０上に配置されてもよい。
【００６８】
図１乃至図１１と共に図１３を参照して、本発明の他の実施形態にかかる液晶表示装置について説明する。図１３は、本発明の他の実施形態にかかる液晶表示装置の断面図である。
【００６９】
図１３を参照すれば、本実施形態にかかる液晶表示装置は、図１２を参照して説明した実施形態にかかる液晶表示装置と類似する。
【００７０】
本実施形態にかかる液晶表示装置は、互いに向き合う第１基板１１０及び第２基板２１０を含む。本実施形態にかかる液晶表示装置は、第１領域Ａ１に配置されている遮光部材ＬＢの第１拡張部ＬＢ１と、第２領域Ａ２に配置されている遮光部材ＬＢの第２拡張部ＬＢ２と、第３領域Ａ３に配置されている遮光部材ＬＢとを含む。
【００７１】
遮光部材ＬＢの第１拡張部ＬＢ１は、第１スペーサＳ１と重なり、遮光部材ＬＢの第２拡張部ＬＢ２は、第１スペーサＳ１と重ならない。
【００７２】
図示のように、遮光部材ＬＢの第１拡張部ＬＢ１の幅Ｗ１及び第２拡張部ＬＢ２の幅Ｗ２は、遮光部材ＬＢの幅Ｗ３より広い。また、遮光部材ＬＢの第１拡張部ＬＢ１の幅Ｗ１及び第２拡張部ＬＢ２の幅Ｗ２は実質的に同一である。
【００７３】
しかし、本実施形態にかかる液晶表示装置は、先に説明した実施形態にかかる液晶表示装置とは異なり、遮光部材ＬＢの第１拡張部ＬＢ１及び第２拡張部ＬＢ２は、第１基板１１０上に配置されている。図示していないが、遮光部材ＬＢの第１拡張部ＬＢ１及び第２拡張部ＬＢ２は、第１基板１１０上に配置されているゲート線と同一層からなるゲート導電体、又はデータ線と同一層からなるデータ導電体の拡張部であり得る。
【００７４】
図示の実施形態において、第３領域Ａ３に配置されている遮光部材ＬＢは、第１基板１１０上に配置されている。しかし、本発明の他の実施形態にかかる液晶表示装置によれば、第３領域Ａ３に配置されている遮光部材ＬＢは、第１基板１１０上にではなく、第２基板２１０上に配置されてもよい。
【００７５】
図示の実施形態にかかる液晶表示装置において、第１スペーサＳ１は、第２基板２１０上に配置されているが、本発明の他の実施形態にかかる液晶表示装置において、第１スペーサＳ１は、第１基板１１０上に配置されてもよい。
【００７６】
前記、図１２を参照して説明した実施形態にかかる液晶表示装置の多くの特徴は、本実施形態にかかる液晶表示装置にすべて適用可能である。
【００７７】
以下、図１乃至図１１と共に図１４を参照して、本発明のさらに他の実施形態にかかる液晶表示装置について説明する。図１４は、本発明のさらに他の実施形態にかかる液晶表示装置の断面図である。
【００７８】
図１４を参照すれば、本実施形態にかかる液晶表示装置は、図１２又は図１３を参照して説明した実施形態にかかる液晶表示装置と類似する。
【００７９】
本実施形態にかかる液晶表示装置は、互いに向き合う第１基板１１０及び第２基板２１０を含む。本実施形態にかかる液晶表示装置は、第１領域Ａ１に配置されている遮光部材ＬＢの第１拡張部ＬＢ１と、第２領域Ａ２に配置されている遮光部材ＬＢの第２拡張部ＬＢ２と、第３領域Ａ３に配置されている遮光部材ＬＢとを含む。
【００８０】
図示のように、遮光部材ＬＢの第１拡張部ＬＢ１の幅Ｗ１及び第２拡張部ＬＢ２の幅Ｗ２は、遮光部材ＬＢの幅Ｗ３より広い。また、遮光部材ＬＢの第１拡張部ＬＢ１の幅Ｗ１及び第２拡張部ＬＢ２の幅Ｗ２は実質的に同一である。
【００８１】
しかし、本実施形態にかかる液晶表示装置は、先に説明した実施形態とは異なり、遮光部材ＬＢの第１拡張部ＬＢ１は、第１スペーサＳ１と重なり、遮光部材ＬＢの第２拡張部ＬＢ２のうちの少なくとも一部は、第２スペーサＳ２と重なる。
【００８２】
第１スペーサＳ１は、互いに向き合う第１基板１１０及び第２基板２１０と接触する。しかし、第２スペーサＳ２は、対向する第１基板１１０から第１間隔ｄ１だけ離隔して配置されている。
【００８３】
図示の実施形態において、第１スペーサＳ１は、第１高さＨ１を有し、第２スペーサＳ２は、第２高さＨ２を有する。また、第１スペーサＳ１の第１高さＨ１は、第２スペーサＳ２の第２高さＨ２より高い。
【００８４】
しかし、本発明の他の実施形態にかかる液晶表示装置において、第１スペーサＳ１の高さは、第２スペーサＳ２の高さより低くてもよい。また、本発明の他の実施形態にかかる液晶表示装置において、第１スペーサＳ１の幅は、第２スペーサＳ２の幅と異なり得、平面形態が異なっていてもよい。その場合、第１スペーサＳ１と第２スペーサＳ２は、高さの差によってではなく、幅又は平面形態の差によって区分される。
【００８５】
前記、図１２及び図１３を参照して説明した実施形態にかかる液晶表示装置の多くの特徴は、本実施形態にかかる液晶表示装置にすべて適用可能である。
【００８６】
以下、図１乃至図１１と共に図１５を参照して、本発明のさらに他の実施形態にかかる液晶表示装置について説明する。図１５は、本発明のさらに他の実施形態にかかる液晶表示装置の断面図である。
【００８７】
図１５を参照すれば、本実施形態にかかる液晶表示装置は、図１４を参照して説明した実施形態にかかる液晶表示装置と類似する。
【００８８】
本実施形態にかかる液晶表示装置は、互いに向き合う第１基板１１０及び第２基板２１０を含む。本実施形態にかかる液晶表示装置は、第１領域Ａ１に配置されている遮光部材ＬＢの第１拡張部ＬＢ１と、第２領域Ａ２に配置されている遮光部材ＬＢの第２拡張部ＬＢ２と、第３領域Ａ３に配置されている遮光部材ＬＢとを含む。
【００８９】
図示のように、遮光部材ＬＢの第１拡張部ＬＢ１の幅Ｗ１及び第２拡張部ＬＢ２の幅Ｗ２は、遮光部材ＬＢの幅Ｗ３より広い。また、遮光部材ＬＢの第１拡張部ＬＢ１の幅Ｗ１及び第２拡張部ＬＢ２の幅Ｗ２は実質的に同一である。
【００９０】
また、遮光部材ＬＢの第１拡張部ＬＢ１は、第１スペーサＳ１と重なり、遮光部材ＬＢの第２拡張部ＬＢ２のうちの少なくとも一部は、第２スペーサＳ２と重なる。
【００９１】
第１スペーサＳ１は、互いに向き合う第１基板１１０及び第２基板２１０と接触する。しかし、第２スペーサＳ２は、対向する第１基板１１０から第２間隔ｄ２だけ離隔して配置されている。
【００９２】
しかし、図示の実施形態において、第１スペーサＳ１と第２スペーサＳ２は、互いに実質的に同一の第３高さＨ３を有する。
【００９３】
第１スペーサＳ１及び第２スペーサＳ２に対向する第１基板１１０上には、複数の薄膜層１２０ａ、１２０ｂ、１２０ｃが形成されている。しかし、遮光部材ＬＢの第１拡張部ＬＢ１が配置されている第１領域Ａ１内に配置されている第１薄膜層１２０ａの高さは、遮光部材ＬＢの第２拡張部ＬＢ２が配置されている第２領域Ａ２内に配置されている第２薄膜層１２０ｂの高さより第２間隔ｄ２の分だけ高い。
【００９４】
第１スペーサＳ１と第２スペーサＳ２は、互いに実質的に同一の第３高さＨ３を有するが、薄膜層１２０ａ、１２０ｂ、１２０ｃの高さの差により、第１スペーサＳ１は、互いに向き合う第１基板１１０及び第２基板２１０と接触し、第２スペーサＳ２は、対向する第１基板１１０から第２間隔ｄ２だけ離隔して配置される。
【００９５】
しかし、本発明の他の実施形態にかかる液晶表示装置において、第１スペーサＳ１の高さは、第２スペーサＳ２の高さと異なっていてもよい。この場合、第１スペーサＳ１及び第２スペーサＳ２が対向する第１基板１１０と離隔する距離の差は、第１スペーサＳ１及び第２スペーサＳ２の高さの差と、薄膜層１２０ａ、１２０ｂ、１２０ｃの高さの差による段差によって決定される。
【００９６】
前記、図１２乃至図１４を参照して説明した実施形態にかかる液晶表示装置の多くの特徴は、本実施形態にかかる液晶表示装置にすべて適用可能である。
【００９７】
以下、図１乃至図１１と共に図１６を参照して、本発明のさらに他の実施形態にかかる液晶表示装置について説明する。図１６は、本発明のさらに他の実施形態にかかる液晶表示装置の断面図である。
【００９８】
図１６を参照すれば、本実施形態にかかる液晶表示装置は、図１２に示す実施形態にかかる液晶表示装置と類似する。
【００９９】
本実施形態にかかる液晶表示装置は、互いに向き合う第１基板１１０及び第２基板２１０を含む。本実施形態にかかる液晶表示装置は、第１領域Ａ１に配置されている遮光部材ＬＢの第１拡張部ＬＢ１と、第２領域Ａ２に配置されている遮光部材ＬＢの第２拡張部ＬＢ２と、第３領域Ａ３に配置されている遮光部材ＬＢとを含む。
【０１００】
遮光部材ＬＢ、そして、遮光部材ＬＢの第１拡張部ＬＢ１及び第２拡張部ＬＢ２は、第２基板２１０上に配置されている。第２基板２１０上に配置されている遮光部材ＬＢの第１拡張部ＬＢ１及び第２拡張部ＬＢ２は、ブラックマトリックス（ｂｌａｃｋ  ｍａｔｒｉｘ）の拡張部であり得る。
【０１０１】
遮光部材ＬＢの第１拡張部ＬＢ１は、第１スペーサＳ１と重なり、遮光部材ＬＢの第２拡張部ＬＢ２は、第１スペーサＳ１と重ならない。
【０１０２】
しかし、本実施形態にかかる液晶表示装置は、図１２に示す実施形態にかかる液晶表示装置とは異なり、遮光部材ＬＢの第１拡張部ＬＢ１の幅Ｗ１は、第２拡張部ＬＢ２の幅Ｗ２より広い。また、先に説明した実施形態にかかる液晶表示装置と同様に、遮光部材ＬＢの第１拡張部ＬＢ１の幅Ｗ１及び第２拡張部ＬＢ２の幅Ｗ２は、遮光部材ＬＢの幅Ｗ３より広い。
【０１０３】
本発明の実施形態にかかる液晶表示装置は、複数の画素ＰＸ領域に配置されている、第１拡張部ＬＢ１と第２拡張部ＬＢ２とを含む遮光部材ＬＢを有し、遮光部材ＬＢの第１拡張部ＬＢ１は、第１スペーサＳ１と重なり、遮光部材ＬＢの第２拡張部ＬＢ２は、第１スペーサＳ１と重ならない。
【０１０４】
これにより、第１スペーサＳ１によって発生し得る光漏れなどを遮光部材ＬＢの第１拡張部ＬＢ１で遮ると同時に、第１スペーサＳ１が配置されている領域Ａ１を含む画素ＰＸと、第１スペーサＳ１が配置されていない領域Ａ２を含む画素ＰＸとの間の開口率の差を低減し、ムラなどの表示品質の低下を防止できる。
【０１０５】
図示の実施形態にかかる液晶表示装置において、第１スペーサＳ１は、第２基板２１０上に配置されているが、本発明の他の実施形態にかかる液晶表示装置において、第１スペーサＳ１は、第１基板１１０上に配置されてもよい。
【０１０６】
先に説明した実施形態にかかる液晶表示装置の多くの特徴は、本実施形態にかかる液晶表示装置にすべて適用可能である。
【０１０７】
以下、図１乃至図１１と共に図１７を参照して、本発明のさらに他の実施形態にかかる液晶表示装置について説明する。図１７は、本発明のさらに他の実施形態にかかる液晶表示装置の断面図である。
【０１０８】
図１７を参照すれば、本実施形態にかかる液晶表示装置は、図１３を参照して説明した実施形態にかかる液晶表示装置と類似する。
【０１０９】
本実施形態にかかる液晶表示装置は、互いに向き合う第１基板１１０及び第２基板２１０を含む。本実施形態にかかる液晶表示装置は、第１領域Ａ１に配置されている遮光部材ＬＢの第１拡張部ＬＢ１と、第２領域Ａ２に配置されている遮光部材ＬＢの第２拡張部ＬＢ２と、第３領域Ａ３に配置されている遮光部材ＬＢとを含む。
【０１１０】
遮光部材ＬＢの第１拡張部ＬＢ１は、第１スペーサＳ１と重なり、遮光部材ＬＢの第２拡張部ＬＢ２は、第１スペーサＳ１と重ならない。
【０１１１】
本実施形態にかかる液晶表示装置において、遮光部材ＬＢの第１拡張部ＬＢ１及び第２拡張部ＬＢ２は、第１基板１１０上に配置されている。図示していないが、遮光部材ＬＢの第１拡張部ＬＢ１及び第２拡張部ＬＢ２は、第１基板１１０上に配置されているゲート線と同一層からなるゲート導電体、又はデータ線と同一層からなるデータ導電体の拡張部であり得る。
【０１１２】
しかし、本実施形態にかかる液晶表示装置は、図１３に示す実施形態にかかる液晶表示装置とは異なり、遮光部材ＬＢの第１拡張部ＬＢ１の幅Ｗ１は、第２拡張部ＬＢ２の幅Ｗ２より広い。また、先に説明した実施形態にかかる液晶表示装置と同様に、遮光部材ＬＢの第１拡張部ＬＢ１の幅Ｗ１及び第２拡張部ＬＢ２の幅Ｗ２は、遮光部材ＬＢの幅Ｗ３より広い。
【０１１３】
図示の実施形態において、第３領域Ａ３に配置されている遮光部材ＬＢは、第１基板１１０上に配置されている。しかし、本発明の他の実施形態にかかる液晶表示装置によれば、第３領域Ａ３に配置されている遮光部材ＬＢは、第１基板１１０上にではなく、第２基板２１０上に配置されてもよい。
【０１１４】
図示の実施形態にかかる液晶表示装置において、第１スペーサＳ１は、第２基板２１０上に配置されているが、本発明の他の実施形態にかかる液晶表示装置において、第１スペーサＳ１は、第１基板１１０上に配置されてもよい。
【０１１５】
先に説明した実施形態にかかる液晶表示装置の多くの特徴は、本実施形態にかかる液晶表示装置にすべて適用可能である。
【０１１６】
以下、図１乃至図１１と共に図１８を参照して、本発明のさらに他の実施形態にかかる液晶表示装置について説明する。図１８は、本発明のさらに他の実施形態にかかる液晶表示装置の断面図である。
【０１１７】
図１８を参照すれば、本実施形態にかかる液晶表示装置は、図１４を参照して説明した実施形態にかかる液晶表示装置と類似する。
【０１１８】
本実施形態にかかる液晶表示装置は、互いに向き合う第１基板１１０及び第２基板２１０を含む。本実施形態にかかる液晶表示装置は、第１領域Ａ１に配置されている遮光部材ＬＢの第１拡張部ＬＢ１と、第２領域Ａ２に配置されている遮光部材ＬＢの第２拡張部ＬＢ２と、第３領域Ａ３に配置されている遮光部材ＬＢとを含む。
【０１１９】
本実施形態にかかる液晶表示装置において、遮光部材ＬＢの第１拡張部ＬＢ１は、第１スペーサＳ１と重なり、遮光部材ＬＢの第２拡張部ＬＢ２のうちの少なくとも一部は、第２スペーサＳ２と重なる。
【０１２０】
第１スペーサＳ１は、互いに向き合う第１基板１１０及び第２基板２１０と接触する。しかし、第２スペーサＳ２は、対向する第１基板１１０から第１間隔ｄ１だけ離隔して配置されている。
【０１２１】
図示の実施形態において、第１スペーサＳ１は、第１高さＨ１を有し、第２スペーサＳ２は、第２高さＨ２を有する。また、第１スペーサＳ１の第１高さＨ１は、第２スペーサＳ２の第２高さＨ２より高い。
【０１２２】
しかし、本実施形態にかかる液晶表示装置は、図１４に示す実施形態にかかる液晶表示装置とは異なり、遮光部材ＬＢの第１拡張部ＬＢ１の幅Ｗ１は、第２拡張部ＬＢ２の幅Ｗ２より広い。また、先に説明した実施形態にかかる液晶表示装置と同様に、遮光部材ＬＢの第１拡張部ＬＢ１の幅Ｗ１及び第２拡張部ＬＢ２の幅Ｗ２は、遮光部材ＬＢの幅Ｗ３より広い。
【０１２３】
先に説明した実施形態にかかる液晶表示装置の多くの特徴は、本実施形態にかかる液晶表示装置にすべて適用可能である。
【０１２４】
以下、図１乃至図１１と共に図１９を参照して、本発明のさらに他の実施形態にかかる液晶表示装置について説明する。図１９は、本発明のさらに他の実施形態にかかる液晶表示装置の断面図である。
【０１２５】
図１９を参照すれば、本実施形態にかかる液晶表示装置は、図１５を参照して説明した実施形態にかかる液晶表示装置と類似する。
【０１２６】
本実施形態にかかる液晶表示装置は、互いに向き合う第１基板１１０及び第２基板２１０を含む。本実施形態にかかる液晶表示装置は、第１領域Ａ１に配置されている遮光部材ＬＢの第１拡張部ＬＢ１と、第２領域Ａ２に配置されている遮光部材ＬＢの第２拡張部ＬＢ２と、第３領域Ａ３に配置されている遮光部材ＬＢとを含む。
【０１２７】
また、遮光部材ＬＢの第１拡張部ＬＢ１は、第１スペーサＳ１と重なり、遮光部材ＬＢの第２拡張部ＬＢ２のうちの少なくとも一部は、第２スペーサＳ２と重なる。
【０１２８】
第１スペーサＳ１は、互いに向き合う第１基板１１０及び第２基板２１０と接触する。しかし、第２スペーサＳ２は、対向する第１基板１１０から第２間隔ｄ２だけ離隔して配置されている。
【０１２９】
しかし、図示の実施形態において、第１スペーサＳ１と第２スペーサＳ２は、互いに実質的に同一の第３高さＨ３を有する。
【０１３０】
第１スペーサＳ１及び第２スペーサＳ２に対向する第１基板１１０上には、複数の薄膜層１２０ａ、１２０ｂ、１２０ｃが形成されている。しかし、遮光部材ＬＢの第１拡張部ＬＢ１が配置されている第１領域Ａ１内に配置されている第１薄膜層１２０ａの高さは、遮光部材ＬＢの第２拡張部ＬＢ２が配置されている第２領域Ａ２内に配置されている第２薄膜層１２０ｂの高さより第２間隔ｄ２の分だけ高い。
【０１３１】
第１スペーサＳ１と第２スペーサＳ２は、互いに実質的に同一の第３高さＨ３を有するが、薄膜層１２０ａ、１２０ｂ、１２０ｃの高さの差により、第１スペーサＳ１は、互いに向き合う第１基板１１０及び第２基板２１０と接触し、第２スペーサＳ２は、対向する第１基板１１０から第２間隔ｄ２だけ離隔して配置される。
【０１３２】
しかし、本実施形態にかかる液晶表示装置は、図１５に示す実施形態にかかる液晶表示装置とは異なり、遮光部材ＬＢの第１拡張部ＬＢ１の幅Ｗ１は、第２拡張部ＬＢ２の幅Ｗ２より広い。また、先に説明した実施形態にかかる液晶表示装置と同様に、遮光部材ＬＢの第１拡張部ＬＢ１の幅Ｗ１及び第２拡張部ＬＢ２の幅Ｗ２は、遮光部材ＬＢの幅Ｗ３より広い。
【０１３３】
先に説明した実施形態にかかる液晶表示装置の多くの特徴は、本実施形態にかかる液晶表示装置にすべて適用可能である。
【０１３４】
以下、図１乃至図１１と共に図２０を参照して、本発明のさらに他の実施形態にかかる液晶表示装置について説明する。図２０は、本発明のさらに他の実施形態にかかる液晶表示装置の断面図である。
【０１３５】
図２０を参照すれば、本実施形態にかかる液晶表示装置は、図１２に示す実施形態にかかる液晶表示装置と類似する。
【０１３６】
本実施形態にかかる液晶表示装置は、互いに向き合う第１基板１１０及び第２基板２１０を含む。本実施形態にかかる液晶表示装置は、第１領域Ａ１に配置されている遮光部材ＬＢの第１拡張部ＬＢ１と、第２領域Ａ２に配置されている遮光部材ＬＢの第２拡張部ＬＢ２と、第３領域Ａ３に配置されている遮光部材ＬＢとを含む。
【０１３７】
遮光部材ＬＢ、そして、遮光部材ＬＢの第１拡張部ＬＢ１及び第２拡張部ＬＢ２は、第２基板２１０上に配置されている。第２基板２１０上に配置されている遮光部材ＬＢの第１拡張部ＬＢ１及び第２拡張部ＬＢ２は、ブラックマトリックス（ｂｌａｃｋ  ｍａｔｒｉｘ）の拡張部であり得る。
【０１３８】
遮光部材ＬＢの第１拡張部ＬＢ１は、第１スペーサＳ１と重なり、遮光部材ＬＢの第２拡張部ＬＢ２は、第１スペーサＳ１と重ならない。
【０１３９】
しかし、本実施形態にかかる液晶表示装置は、図１２に示す実施形態にかかる液晶表示装置とは異なり、遮光部材ＬＢの第１拡張部ＬＢ１の幅Ｗ１は、第２拡張部ＬＢ２の幅Ｗ２より狭い。また、先に説明した実施形態にかかる液晶表示装置と同様に、遮光部材ＬＢの第１拡張部ＬＢ１の幅Ｗ１及び第２拡張部ＬＢ２の幅Ｗ２は、遮光部材ＬＢの幅Ｗ３より広い。
【０１４０】
本発明の実施形態にかかる液晶表示装置は、複数の画素ＰＸ領域に配置されている、第１拡張部ＬＢ１と第２拡張部ＬＢ２とを含む遮光部材ＬＢを有し、遮光部材ＬＢの第１拡張部ＬＢ１は、第１スペーサＳ１と重なり、遮光部材ＬＢの第２拡張部ＬＢ２は、第１スペーサＳ１と重ならない。
【０１４１】
これにより、第１スペーサＳ１によって発生し得る光漏れなどを遮光部材ＬＢの第１拡張部ＬＢ１で遮ると同時に、第１スペーサＳ１が配置されている領域Ａ１を含む画素ＰＸと、第１スペーサＳ１が配置されていない領域Ａ２を含む画素ＰＸとの間の開口率の差を低減し、ムラなどの表示品質の低下を防止できる。
【０１４２】
図示の実施形態にかかる液晶表示装置において、第１スペーサＳ１は、第２基板２１０上に配置されているが、本発明の他の実施形態にかかる液晶表示装置において、第１スペーサＳ１は、第１基板１１０上に配置されてもよい。
【０１４３】
先に説明した実施形態にかかる液晶表示装置の多くの特徴は、本実施形態にかかる液晶表示装置にすべて適用可能である。
【０１４４】
以下、図１乃至図１１と共に図２１を参照して、本発明のさらに他の実施形態にかかる液晶表示装置について説明する。図２１は、本発明のさらに他の実施形態にかかる液晶表示装置の断面図である。
【０１４５】
図２１を参照すれば、本実施形態にかかる液晶表示装置は、図１３を参照して説明した実施形態にかかる液晶表示装置と類似する。
【０１４６】
本実施形態にかかる液晶表示装置は、互いに向き合う第１基板１１０及び第２基板２１０を含む。本実施形態にかかる液晶表示装置は、第１領域Ａ１に配置されている遮光部材ＬＢの第１拡張部ＬＢ１と、第２領域Ａ２に配置されている遮光部材ＬＢの第２拡張部ＬＢ２と、第３領域Ａ３に配置されている遮光部材ＬＢとを含む。
【０１４７】
遮光部材ＬＢの第１拡張部ＬＢ１は、第１スペーサＳ１と重なり、遮光部材ＬＢの第２拡張部ＬＢ２は、第１スペーサＳ１と重ならない。
【０１４８】
本実施形態にかかる液晶表示装置において、遮光部材ＬＢの第１拡張部ＬＢ１及び第２拡張部ＬＢ２は、第１基板１１０上に配置されている。図示していないが、遮光部材ＬＢの第１拡張部ＬＢ１及び第２拡張部ＬＢ２は、第１基板１１０上に配置されているゲート線と同一層からなるゲート導電体、又はデータ線と同一層からなるデータ導電体の拡張部であり得る。
【０１４９】
しかし、本実施形態にかかる液晶表示装置は、図１３に示す実施形態にかかる液晶表示装置とは異なり、遮光部材ＬＢの第１拡張部ＬＢ１の幅Ｗ１は、第２拡張部ＬＢ２の幅Ｗ２より狭い。また、先に説明した実施形態にかかる液晶表示装置と同様に、遮光部材ＬＢの第１拡張部ＬＢ１の幅Ｗ１及び第２拡張部ＬＢ２の幅Ｗ２は、遮光部材ＬＢの幅Ｗ３より広い。
【０１５０】
図示の実施形態において、第３領域Ａ３に配置されている遮光部材ＬＢは、第１基板１１０上に配置されている。しかし、本発明の他の実施形態にかかる液晶表示装置によれば、第３領域Ａ３に配置されている遮光部材ＬＢは、第１基板１１０上にではなく、第２基板２１０上に配置されてもよい。
【０１５１】
図示の実施形態にかかる液晶表示装置において、第１スペーサＳ１は、第２基板２１０上に配置されているが、本発明の他の実施形態にかかる液晶表示装置において、第１スペーサＳ１は、第１基板１１０上に配置されてもよい。
【０１５２】
先に説明した実施形態にかかる液晶表示装置の多くの特徴は、本実施形態にかかる液晶表示装置にすべて適用可能である。
【０１５３】
以下、図１乃至図１１と共に図２２を参照して、本発明のさらに他の実施形態にかかる液晶表示装置について説明する。図２２は、本発明のさらに他の実施形態にかかる液晶表示装置の断面図である。
【０１５４】
図２２を参照すれば、本実施形態にかかる液晶表示装置は、図１４を参照して説明した実施形態にかかる液晶表示装置と類似する。
【０１５５】
本実施形態にかかる液晶表示装置は、互いに向き合う第１基板１１０及び第２基板２１０を含む。本実施形態にかかる液晶表示装置は、第１領域Ａ１に配置されている遮光部材ＬＢの第１拡張部ＬＢ１と、第２領域Ａ２に配置されている遮光部材ＬＢの第２拡張部ＬＢ２と、第３領域Ａ３に配置されている遮光部材ＬＢとを含む。
【０１５６】
本実施形態にかかる液晶表示装置において、遮光部材ＬＢの第１拡張部ＬＢ１は、第１スペーサＳ１と重なり、遮光部材ＬＢの第２拡張部ＬＢ２のうちの少なくとも一部は、第２スペーサＳ２と重なる。
【０１５７】
第１スペーサＳ１は、互いに向き合う第１基板１１０及び第２基板２１０と接触する。しかし、第２スペーサＳ２は、対向する第１基板１１０から第１間隔ｄ１だけ離隔して配置されている。
【０１５８】
図示の実施形態において、第１スペーサＳ１は、第１高さＨ１を有し、第２スペーサＳ２は、第２高さＨ２を有する。また、第１スペーサＳ１の第１高さＨ１は、第２スペーサＳ２の第２高さＨ２より高い。
【０１５９】
しかし、本実施形態にかかる液晶表示装置は、図１４に示す実施形態にかかる液晶表示装置とは異なり、遮光部材ＬＢの第１拡張部ＬＢ１の幅Ｗ１は、第２拡張部ＬＢ２の幅Ｗ２より狭い。また、先に説明した実施形態にかかる液晶表示装置と同様に、遮光部材ＬＢの第１拡張部ＬＢ１の幅Ｗ１及び第２拡張部ＬＢ２の幅Ｗ２は、遮光部材ＬＢの幅Ｗ３より広い。
【０１６０】
また、本発明の他の実施形態にかかる液晶表示装置において、第１スペーサＳ１の高さは、第２スペーサＳ２の高さより低くてもよい。また、本発明の他の実施形態にかかる液晶表示装置において、第１スペーサＳ１の幅は、第２スペーサＳ２の幅と異なり得、平面形態が異なっていてもよい。この場合、第１スペーサＳ１と第２スペーサＳ２は、高さの差によってではなく、幅又は平面形態の差によって区分される。
【０１６１】
先に説明した実施形態にかかる液晶表示装置の多くの特徴は、本実施形態にかかる液晶表示装置にすべて適用可能である。
【０１６２】
以下、図１乃至図１１と共に図２３を参照して、本発明のさらに他の実施形態にかかる液晶表示装置について説明する。図２３は、本発明のさらに他の実施形態にかかる液晶表示装置の断面図である。
【０１６３】
図２３を参照すれば、本実施形態にかかる液晶表示装置は、図１５を参照して説明した実施形態にかかる液晶表示装置と類似する。
【０１６４】
本実施形態にかかる液晶表示装置は、互いに向き合う第１基板１１０及び第２基板２１０を含む。本実施形態にかかる液晶表示装置は、第１領域Ａ１に配置されている遮光部材ＬＢの第１拡張部ＬＢ１と、第２領域Ａ２に配置されている遮光部材ＬＢの第２拡張部ＬＢ２と、第３領域Ａ３に配置されている遮光部材ＬＢとを含む。
【０１６５】
また、遮光部材ＬＢの第１拡張部ＬＢ１は、第１スペーサＳ１と重なり、遮光部材ＬＢの第２拡張部ＬＢ２のうちの少なくとも一部は、第２スペーサＳ２と重なる。
【０１６６】
第１スペーサＳ１は、互いに向き合う第１基板１１０及び第２基板２１０と接触する。しかし、第２スペーサＳ２は、対向する第１基板１１０から第２間隔ｄ２だけ離隔して配置されている。
【０１６７】
しかし、図示の実施形態において、第１スペーサＳ１と第２スペーサＳ２は、互いに実質的に同一の第３高さＨ３を有する。
【０１６８】
第１スペーサＳ１及び第２スペーサＳ２に対向する第１基板１１０上には、複数の薄膜層１２０ａ、１２０ｂ、１２０ｃが形成されている。しかし、遮光部材ＬＢの第１拡張部ＬＢ１が配置されている第１領域Ａ１内に配置されている第１薄膜層１２０ａの高さは、遮光部材ＬＢの第２拡張部ＬＢ２が配置されている第２領域Ａ２内に配置されている第２薄膜層１２０ｂの高さより高い。
【０１６９】
第１スペーサＳ１と第２スペーサＳ２は、互いに実質的に同一の第３高さＨ３を有するが、薄膜層１２０ａ、１２０ｂ、１２０ｃの高さの差により、第１スペーサＳ１は、互いに向き合う第１基板１１０及び第２基板２１０と接触し、第２スペーサＳ２は、対向する第１基板１１０から第２間隔ｄ２だけ離隔して配置される。
【０１７０】
しかし、本実施形態にかかる液晶表示装置は、図１５に示す実施形態にかかる液晶表示装置とは異なり、遮光部材ＬＢの第１拡張部ＬＢ１の幅Ｗ１は、第２拡張部ＬＢ２の幅Ｗ２より狭い。また、先に説明した実施形態にかかる液晶表示装置と同様に、遮光部材ＬＢの第１拡張部ＬＢ１の幅Ｗ１及び第２拡張部ＬＢ２の幅Ｗ２は、遮光部材ＬＢの幅Ｗ３より広い。
【０１７１】
また、本発明の他の実施形態にかかる液晶表示装置において、第１スペーサＳ１の高さは、第２スペーサＳ２の高さと異なっていてもよい。このように、第１スペーサＳ１及び第２スペーサＳ２が対向する第１基板１１０と離隔する距離の差は、第１スペーサＳ１及び第２スペーサＳ２の高さの差と、薄膜層１２０ａ、１２０ｂ、１２０ｃの高さの差による段差によって発生可能である。
【０１７２】
先に説明した実施形態にかかる液晶表示装置の多くの特徴は、本実施形態にかかる液晶表示装置にすべて適用可能である。
【０１７３】
このように、本発明の実施形態にかかる液晶表示装置は、複数の画素ＰＸ領域に配置されている、第１拡張部ＬＢ１と第２拡張部ＬＢ２とを含む遮光部材ＬＢを有し、遮光部材ＬＢの第１拡張部ＬＢ１は、第１スペーサＳ１と重なり、遮光部材ＬＢの第２拡張部ＬＢ２は、第１スペーサＳ１と重ならない。
【０１７４】
これにより、第１スペーサＳ１によって発生し得る光漏れなどを遮光部材ＬＢの第１拡張部ＬＢ１で遮ると同時に、第１スペーサＳ１が配置されている領域Ａ１を含む画素ＰＸと、第１スペーサＳ１が配置されていない領域Ａ２を含む画素ＰＸとの間の開口率の差を低減し、ムラなどの表示品質の低下を防止できる。
【０１７５】
図示していないが、先に説明した実施形態にかかる液晶表示装置は、第１基板１１０上に形成されている第１電場生成電極と、第２基板２１０上に形成されている第２電場生成電極とを含み得る。また、先に説明した実施形態にかかる液晶表示装置は、第１基板１１０上に形成されている第１電場生成電極及び第２電場生成電極を含み得る。また、先に説明した実施形態にかかる液晶表示装置は、第１基板１１０上に形成されている第１電場生成電極及び第２電場生成電極と、第２基板２１０上に形成されている第３電場生成電極とを含み得る。電場生成電極は、板状の平面形態を有し得、複数の枝電極を含み得る。先に説明した実施形態にかかる液晶表示装置は、例えば、ＰＬＳ（Ｐｌａｎｅ  ｔｏ  Ｌｉｎｅ  Ｓｗｉｔｃｈｉｎｇ）モードの液晶表示装置、ＩＰＳ（Ｉｎ−Ｐｌａｎｅ  Ｓｗｉｔｃｈｉｎｇ）モードの液晶表示装置、又はＴＮ（Ｔｗｉｓｔｅｄ  Ｎｅｍａｔｉｃ）モードの液晶表示装置などに適用可能であり、このようなモードの液晶表示装置に適用する場合、その効果に優れる。
【０１７６】
以上、本発明の好ましい実施形態について詳細に説明したが、当該技術分野における通常の知識を有する者であれば、これより多様な変形及び均等な他の実施形態が可能であることを理解できるであろう。従って、本発明の権利範囲は、これに限定されるものではなく、以下の請求の範囲で定義している本発明の基本概念を利用した当業者の様々な変形及び改良形態も本発明の権利範囲に属する。
【符号の説明】
【０１７７】
Ａ１、Ａ２、Ａ３      第１、第２、第３領域
ｄ１      第１間隔
ｄ２      第２間隔
Ｈ１、Ｈ２、Ｈ３      第１、第２、第３高さ
ＰＸ      画素領域
ＬＢ      遮光部材
ＬＢ１、ＬＢ２      遮光部材の拡張部、遮光部材の第１、第２拡張部
ＬＢ１／ＬＢ２      遮光部材の拡張部
Ｓ１、Ｓ２      スペーサ、第１、第２スペーサ
Ｗ１、Ｗ２、Ｗ３      遮光部材ＬＢ１、ＬＢ２、ＬＢ３の幅
１１０、２１０      第１、第２基板
１２０ａ、１２０ｂ、１２０ｃ      薄膜層
【図１】
2014002385.tif 000003
【図２】
2014002385.tif 000004
【図３】
2014002385.tif 000005
【図４】
2014002385.tif 000006
【図５】
2014002385.tif 000007
【図６】
2014002385.tif 000008
【図７】
2014002385.tif 000009
【図８】
2014002385.tif 000010
【図９】
2014002385.tif 000011
【図１０】
2014002385.tif 000012
【図１１】
2014002385.tif 000013
【図１２】
2014002385.tif 000014
【図１３】
2014002385.tif 000015
【図１４】
2014002385.tif 000016
【図１５】
2014002385.tif 000017
【図１６】
2014002385.tif 000018
【図１７】
2014002385.tif 000019
【図１８】
2014002385.tif 000020
【図１９】
2014002385.tif 000021
【図２０】
2014002385.tif 000022
【図２１】
2014002385.tif 000023
【図２２】
2014002385.tif 000024
【図２３】
2014002385.tif 000025